(57)【要約】【課題】磁気テープの一部が他の巻層よりも突出する巻き乱れを発生しない磁気テープの巻取り装置を提供する。【解決手段】磁気テープをカセットリールに巻き取る際に、カセットリールの軸芯と巻取りモータの軸芯とを一直線上に配置し、巻取りモータシャフト先端部及び前記リール先端部の少なくとも何れかに、緩衝材質を備えることにより、巻取り時に磁気テープの一部が他の巻層よりも突出する巻き乱れの発生を抑制できる。これにより、磁気ヘッドによる信号の読み書き動作を常に安定した状態で行って、テープカートリッジの信頼性を向上できる。【選択図】図１
2011118976.tif 000002
【特許請求の範囲】
【請求項１】
磁気テープカセットに備えるリールに磁気テープを巻き取る磁気テープ巻取り装置であって、
前記磁気テープを前記リールに巻き取る際に、前記リールの軸芯と巻取りモータの軸芯とを一直線上に配置し、前記巻取りモータシャフト先端部及び前記リール先端部の少なくとも何れかに、緩衝材質を備えることを特徴とする磁気テープ巻取り装置。
【発明の詳細な説明】
【技術分野】
【０００１】
本発明は、磁気記録テープカセットへの磁気テープの巻取り装置に関する。
【背景技術】
【０００２】
磁気テープカセット中の磁気テープは、リールと磁気テープとがリーダーテープを介して連結している。磁気テープが送り出しまたは巻き戻し若しくは磁気テープがカートリッジに巻き取られる場合、リールはカートリッジに固定された金属ピンにより位置規制される。
【０００３】
磁気テープの信号を記録再生する面は、記録再生装置の金属及び無機物から構成される磁気ヘッド表面と接触するので、磁気テープ表面を保護する目的で、表面エネルギーの低い潤滑層を磁気テープの磁気記録再生面の表面に設けている。
【０００４】
磁気テープの信号を記録再生面の反対側の裏面は、ドライブで走行する際に走行ポストと接触するので、ドライブでの磁気テープ走行安定性を確保する目的で、表面を凹凸形状にしたバックコート層を形成している。バックコート層の凹凸形状だけでは磁気テープ走行安定性が確保でき難いので、記録再生面の表面に形成された潤滑層の一部を転写させている。
【０００５】
上述の通り、磁気テープの表裏面は各々の目的で表面エネルギーが低いので、該磁気テープをカセット内へ巻取りする際に、巻取り直前・直後の磁気テープ同士が滑りやすくなっている。このため、特に高速で巻き取る際に、磁気テープの一部が他の巻層よりも突出する巻き乱れを発生してしまう。
【０００６】
すなわち、カセットの内部でリールを覆う上下フランジの対向間隔は、磁気テープの幅寸法に余裕隙間寸法を加えた値に設定してあり、しばしば巻き乱れを生じることがある。特に高速で磁気テープをカセット内へ巻き取る際には、リールの回転速度が速いため、ごく僅かなリールの傾きや、テープ張力のばらつきなどによって巻き乱れを生じやすい。この巻き乱れには、テープ巻層が同心円状に上下方向へ段違い状になる段巻状態と、テープのごく一部が他の巻層よりも突出する局部突出状態とがある。局部突出状態の場合には、突出部分が１層ないし数層の磁気テープで形成されているため、外力を受けると簡単に変形する。例えば、落下衝撃を受けた場合に、テープエッジが折れ曲がって記録信号が破壊されやすい。とくに信号記録容量や信号記録時間の長時間化のために、より薄い磁気テープを用いる場合には、テープエッジが損傷しやすいことが知られている。
【０００７】
この巻き乱れを抑制する方法として、例えば特許文献１がある。特許文献１は、磁気テープが巻かれない側のリール穴を利用して圧縮空気を吹き込み、該圧縮空気によって順次巻き取られる直前・直後の磁気テープの外側を押さえ付けることにより、巻き乱れを防ぐ方法を開示している。
【先行技術文献】
【特許文献】
【０００８】
【特許文献１】特開２０００−３０４０５号公報
【発明の概要】
【発明が解決しようとする課題】
【０００９】
しかしながら、特許文献１に開示されている方法では、巻取りに際して圧縮空気を吹き込む貫通孔をカセットの上ハーフまたは下ハーフ（以下、両者をハーフと総称する）に備える必要がある。
【００１０】
この貫通孔は、カセットに磁気テープを巻回する工場内部のような清浄な環境下では巻乱れの解消だけに寄与することができるが、市場でカセットを用いる環境はダスト等と称される異物が存在し、この異物が貫通孔を介してカセット内部に混入し易く、混入した異物が磁気テープの記録再生面に付着する危惧がある。
【００１１】
ところで、貫通孔を介してカセット内部に混入した異物が記録再生面に付着すると、磁気記録再生ヘッドと記録再生面との間に介在し、記録再生抜けが生じる等の記録再生特性が劣化するという課題がある。
【００１２】
本発明は、係る従来の課題を克服し、磁気テープの記録再生特性を維持しながら巻乱れを抑制できる巻取り装置を提供することを目的とする。
【課題を解決するための手段】
【００１３】
磁気テープカセットに備えるリールに磁気テープを巻き取る磁気テープ巻取り装置であって、前記磁気テープを前記リールに巻き取る際に、前記リールの軸芯と巻取りモータの軸芯とを一直線上に配置し、前記巻取りモータシャフト先端部及び前記リール先端部の少なくとも何れかに、緩衝材質を備える磁気テープ巻取り装置である。
【発明の効果】
【００１４】
巻取り装置に備える緩衝材質（例えば、軟質樹脂成形品）が、巻回したテープの一部が他の巻層よりも突出する巻き乱れを抑制できるので、例えば、突出部分のテープエッジが外力を受けて折れ曲がるのを防止して記録信号の破壊を解消することができ、記録再生特性の信頼性に優れた磁気テープを提供することができる。
【図面の簡単な説明】
【００１５】
【図１】図１は、カセットリール近傍の構成の一例を示す模式図である。
【図２】図２は、巻取り装置におけるモータシャフト先端部近傍の構成の一例を示す模式図である。
【図３】図３は、巻取り装置の構成の一例を示す模式図である。
【図４】図４は、巻取り装置におけるカセットリール及びモータシャフト近傍の構成の一例を示す模式図である。
【発明を実施するための形態】
【００１６】
本発明に係る磁気テープ巻取り装置の実施の形態を示す。
【００１７】
磁気テープカセットは、上下ハーフを蓋合わせ状に結合してなる角箱状の本体ケースを有し、その内部に配置したリールに磁気テープを巻回する。本体ケースの前面にはテープ引出口が開口しており、これが揺動自在に軸支したドアで開閉できる。ドアは、ばねで閉方向に移動付勢されており、閉止位置においてロック機構でロック保持される。
【００１８】
リールは、ハブを一体に設けた上フランジと、ハブの下面に溶着固定した下フランジとからなる。ハブの内底と上ケースとの間に設けたばねで押し付勢することにより、不使用時のリールの遊動を規制する。使用時には、ばねの付勢力に抗してリールを押し上げ操作する。
【００１９】
リールに巻き込んだ磁気テープはリーダーテープを介して連結されている。リーダーテープは、例えばポリエチレンテレフタレートやポリブチレンテレフタレートなどの可撓性と引っ張り強度に富むプラスチックシートである。
【００２０】
磁気テープは、例えばポリエチレンテレフタレート、ポリブチレンテレフタレート、ポリエチレンナフタレート、またはポリアラミドなどの可撓性と引っ張り強度に富むプラスチックシートの一方の面に金属コバルトなどからなる磁性層、他方の面にポリウレタンなどの樹脂層を形成してなる。
【００２１】
以下、図面を用いて本発明の磁気テープ巻取り装置の一例について説明する。
【００２２】
図１はカセットリール近傍の構成を示し、図２は巻取り機のモータシャフト先端部近傍の構成を示す。Ｘ及びＸ’は各々、カセットリール及び巻取り機のモータシャフトの回転軸芯であり、軸芯Ｘと軸芯Ｘ’を一直線上に配置して、テープをカセットへ巻き取られる。
【００２３】
斜線部Ｐと斜線部Ｑは高精度で成形した面である。リールの斜線部Ｐとモータシャフトの斜線部Ｑとを摺動して磁気テープを巻き取る。斜線部Ｐ及び斜線部Ｑ以外には樹脂、多孔質金属等から成る緩衝材が用いてあるため、巻取り装置やカセット、テープ走行により発生する共振を低減することができる。緩衝材の配置は特に限定しないが、斜線部Ｐ及び斜線部Ｑ以外であればよい。
【００２４】
緩衝材は、特に材料を限定しないが、例えば、ヤング率が１０5[ｋｇ／ｃｍ2]以下の材料が使用でき、低反発ウレタンや低反撥ウレタンなどのウレタン系、直鎖状低密度ポリエチレン（ＬＬＤＰＥ）、低密度ポリエチレン（ＬＤＰＥ）または高密度ポリエチレン（ＨＤＰＥ）などのポリエチレン系、ポリプロピレン系、ポリアラミド系、ポリパーフルオロエチレン系、ポリアミド系、ポリカーボネート系、エポキシ系、フェノール樹脂等の樹脂またはこれら複合樹脂が使用できる。
【００２５】
上記緩衝材は、共振等によって発生するカセットリールの振動を低減する材料であれば形状は特に限定せず、繊維状、板状、ペースト状の何れも適用することができる。
【００２６】
磁気テープ巻取りの際、カセットのリールは巻取り装置の巻取りモータシャフトに吸着されている。具体的には、モータシャフト中心が中空であり、該中空部分の一端をロータリーポンプにて減圧し、もう一端の該中空部分をカセットリールへ接触し、モータシャフトとカセットリールを吸着した。これにより、カセットのリールはモータシャフトと密着し、リールのブレによる張力乱れや巻取り層の乱れが生じ難い。
【００２７】
図３、図４に本発明の巻取り装置を示す。磁気テープは、カセット３に巻き取られる際、パンケーキ１に巻き取られている。カセット３が配置された巻取り室４は、例えば、空気、水素、二酸化炭素、窒素、メタン、二酸化硫黄、酸化窒素、パーフルオロシクロブタン、プロパン、パーフルオロエチレン、アンモニア等の低粘性気体の少なくとも１つの気体で満たすことが好ましい。また、パンケーキ室２は磁気テープ温度を調整するため、恒温槽である。パンケーキ室２の温度は、例えば、５〜３０℃である。また、カセット３の磁気テープ巻取りリール５は、巻取り装置のモータシャフト６の軸心から図４中の矢印方向への減圧により、巻取り機モータシャフト６に吸着させることが好ましい。
【００２８】
巻取り装置の巻取りモータシャフト６は、上記以外の構造であってもよい。要は磁気テープ巻取時にカセットリール軸芯Ｘと巻取り機モータシャフト軸芯Ｘ’が一直線上にあり、カセットリールが共振・振動しない構造であればよいのであって、カセットリールよりも径の大きいモータシャフトを、固定されるまでモータシャフトをカセットリール方向に力を加えて挿入する方法や、カセットリールと巻取り機モータシャフトの先端部に磁石を設置することにより、磁気テープ巻取り時にカセットリールを固定する方法等であってもよい。なお、巻取り機モータシャフトの先端部に磁石を配置する構成においては、磁石の磁束密度は特に限定しないが、１ｍ／ｓで巻取りする場合は１０００ガウス以上の磁束密度が大きい磁石方が望ましく、２ｍ／ｓ以上の高速で巻き取る場合は１５００ガウス以上の磁束密度が大きい磁石が望ましい。
【００２９】
磁気テープ巻取の際、カセット内は、温度５〜３０℃における粘性係数が１．８５×１０-5[Ｐａ・ｓ]以下の気体で満たされるように、カセットへ巻取りされる寸前までに巻取り室４が設けてある。巻取り室４はカセット３を内部に取り込んだ配置であっても構わない。磁気テープが巻き取られる際、磁気テープは巻取り室４に満たされた気体をカセット内に巻き込む。磁気テープによって巻き込まれた気体はテープとテープの間にかみ込み、テープとテープが重なることを阻害するので、テープとテープの間により大きな引力が必要になる。ここでいう引力とは、テープ張力などを示す。粘性係数が小さい気体はテープとテープの間にかみ込んでも、テープとテープの間にある引力により素早く押し出されるため、テープとテープが重なることを阻害しない。
【００３０】
実施の形態１から１０として、上記巻取り装置を用いて後述する条件で磁気テープのカセットへの巻取りを行った。磁気テープをカセット内へ巻き取る際に、磁気テープの一部が他の巻層よりも突出する巻き乱れは、数及び突出の度合いにより５段階にレベル分けし、巻き乱れの最も悪い磁気テープをレベル５とした。（表１）に巻取り条件の一覧を示した。
【００３１】
なお、後述する様に、実施の形態１から１０では、巻取り室４は、水素、二酸化炭素、窒素、メタン、二酸化硫黄、酸化窒素、パーフルオロシクロブタン、プロパン、パーフルオロエチレンまたはアンモニアで満たした。また、実施の形態５以外は、パンケーキ室２の温度を５〜３０℃に調整して巻取りした。
【００３２】
【表１】
2011118976.tif 000003
【００３３】
（実施の形態１）
カセットを水素雰囲気とした巻取り室に設置して巻取りした。巻取り時の雰囲気は３０℃以下とした。カセット内の気体の粘性係数は０．８９５×１０-5[Ｐａ・ｓ]であった。実施の形態１において、巻取り速度１〜４ｍ／ｓの範囲にて巻き乱れは生じなかった。５℃、８０％ＲＨの環境下で実機走行しても走行異常は発生しなかった。巻取り装置は上記本発明の巻取り装置（請求項１に示す構造の巻取り機）を用いた。
【００３４】
（実施の形態２）
カセットをメタンガス雰囲気とした巻取り室に設置して巻取りした。巻取り時の雰囲気は３０℃以下とした。カセット内の気体の粘性係数は１．１２８×１０-5[Ｐａ・ｓ]であった。実施の形態２において、巻取り速度１〜３ｍ／ｓの範囲にて巻き乱れは生じなかった。５℃、８０％ＲＨの環境下で実機走行しても走行異常は発生しなかった。
【００３５】
（実施の形態３）
カセットを二酸化炭素雰囲気とした巻取り室に設置して巻取りした。巻取り時の雰囲気は３０℃以下とした。カセット内の気体の粘性係数は１．５３２×１０-5[Ｐａ・ｓ]であった。実施の形態３において、巻取り速度１〜３ｍ／ｓの範囲にて巻き乱れは生じなかった。５℃、８０％ＲＨの環境下で実機走行しても走行異常は発生しなかった。
【００３６】
（実施の形態４）
カセットを窒素雰囲気とした巻取り室に設置して巻取りした。巻取り時の雰囲気は３０℃以下とした。カセット内の気体の粘性係数は１．７８２×１０-5[Ｐａ・ｓ]であった。実施の形態４において、巻取り速度１〜２ｍ／ｓの範囲にて巻き乱れは生じなかった。５℃、８０％ＲＨの環境下で実機走行しても走行異常は発生しなかった。
【００３７】
（実施の形態５）
カセットをＮＯ2雰囲気とした巻取り室に設置して巻取りした。巻取り時の雰囲気は３０℃以下とした。カセット内の気体の粘性係数は１．４７１×１０-5[Ｐａ・ｓ]であった。実施の形態５において、巻取り速度１〜２ｍ／ｓの範囲にて巻き乱れは生じなかった。５℃、８０％ＲＨの環境下で実機走行しても走行異常は発生しなかった。
【００３８】
（実施の形態６）
カセットを二酸化硫黄雰囲気に設置して巻取りした。巻取り時の雰囲気は３０℃以下とした。カセット内の気体の粘性係数は１．２７９×１０-5[Ｐａ・ｓ]であった。実施の形態６において、巻取り速度１〜２ｍ／ｓの範囲にて巻き乱れは生じなかった。５℃、８０％ＲＨの環境下で実機走行しても走行異常は発生しなかった。
【００３９】
（実施の形態７）
カセットをプロパンガス雰囲気とした巻取り室に設置して巻取りした。巻取り時の雰囲気は３０℃以下とした。カセット内の気体の粘性係数は０．８１６×１０-5[Ｐａ・ｓ]であった。実施の形態７において、巻取り速度１〜４ｍ／ｓの範囲にて巻き乱れは生じなかった。５℃、８０％ＲＨの環境下で実機走行しても走行異常は発生しなかった。
【００４０】
（実施の形態８）
カセットをアンモニア雰囲気とした巻取り室に設置して巻取りした。巻取り時の雰囲気は３０℃以下とした。カセット内の気体の粘性係数は１．０１６×１０-5[Ｐａ・ｓ]であった。実施の形態８において、巻取り速度１〜３ｍ／ｓの範囲にて巻き乱れは生じなかった。５℃、８０％ＲＨの環境下で実機走行しても走行異常は発生しなかった。
【００４１】
（実施の形態９）
カセットをパーフルオロシクロブタン雰囲気とした巻取り室に設置して巻取りした。巻取り時の雰囲気は３０℃以下とした。カセット内の気体の粘性係数は１．１６６×１０-5[Ｐａ・ｓ]であった。実施の形態９において、巻取り速度１〜３ｍ／ｓの範囲にて巻き乱れは生じなかった。５℃、８０％ＲＨの環境下で実機走行しても走行異常は発生しなかった。
【００４２】
（実施の形態１０）
カセットをパーフルオロエチレン雰囲気とした巻取り室に設置して巻取りした。巻取り時の雰囲気は３０℃以下とした。カセット内の気体の粘性係数は１．４９６×１０-5[Ｐａ・ｓ]であった。実施の形態１０において、巻取り速度１〜２ｍ／ｓの範囲にて巻き乱れは生じなかった。５℃、８０％ＲＨの環境下で実機走行しても走行異常は発生しなかった。
【００４３】
上記の実施の形態以外に、巻き取り時にテープ間にかみこむ気体は実施の形態以外の気体であってもよく、要は磁気テープ巻取時にテープ間から押し出すのにより大きな引力を要しない気体であればよいのであって、気体そのものが少なければよいのであって、カセット内の気圧を低減しても構わない。
【００４４】
（比較例１）
カセットをヘリウム雰囲気とした巻取り室に設置して巻取りした。巻取り時の雰囲気は３０℃以下とした。カセット内の気体の粘性係数は１．９９２×１０-5[Ｐａ・ｓ]であった。比較例１において、巻取り速度２で巻取りしたテープの巻き姿はレベル２であった。
【００４５】
上記の実施の形態を複合して、低粘性気体雰囲気で巻取り温度を潤滑剤の融点以上として巻取りしても構わないし、低粘性気体雰囲気で１気圧未満、巻取り温度を潤滑剤の融点以上として巻取りしても構わないのはいうまでもない。
【産業上の利用可能性】
【００４６】
本発明の磁気テープ巻取り装置は、各種磁気テープの巻取りに有用である。
【符号の説明】
【００４７】
１      パンケーキ
２      パンケーキ室
３      磁気テープカセット
４      巻取り室
５      巻取りリール
６      巻取り機モータシャフト
【図１】
2011118976.tif 000004
【図２】
2011118976.tif 000005
【図３】
2011118976.tif 000006
【図４】
2011118976.tif 000007